(57)【要約】【課題】イーズ・ケープを小振りに形成し、散髪客の後頭部と側頭部の周囲を保護カバーから解放して理容職人、美容職人の散髪、整髪作業を円滑に行えることを従とし。散髪客の胸部を大きく開放して、店内の冷気を直接体に触れさせて清涼感を散髪客に享受してもらうことを主とする。【解決手段】背当てフレーム１を締め付け具３を介して椅子に繋着させ、イーズ・ケープ６の袋縫い６−Ｂにイーズ・フレーム２を挿通して、前記の背当てフレーム１先端のビーク１−Ｘ内径に磁石Ａ（１−Ａ）と前記のイーズ・フレーム２先端に磁石Ｂ（２−Ａ）を備え、該磁石Ｂ（２−Ａ）と磁石Ａ（１−Ａ）が前記ビーク内で互いに引き合いくっついてイーズ・フレーム２と背当てフレーム１が一体を成し、肩掛け７と膝掛け８を添える。【選択図】　　　　　図１
2004016771.tif 000002
【特許請求の範囲】
【請求項１】
背当てフレーム（１）をＵ字状に形成し、該Ｕ字状両端を該Ｕ字表裏の一方向に屈曲させ、該屈曲したビーク（１−Ｘ）内径に磁石Ａ（１−Ａ）を内設、イーズ・フレーム（２）をＵ字状に形成して、該イーズ・フレーム（２）両端を前記のビーク（１−Ｘ）内径に挿入可能な外径に形成、該イーズ・フレーム（２）両先端に磁石Ｂ（２−Ａ）を突設し、イーズ・ケープ（６）の辺を四角形と半円形の組み合わせで形成して、該イーズ・ケープ（６）の半円形部に袋縫い（６−Ｂ）を備えて、該袋縫い（６−Ｂ）内に前記のイーズ・フレーム（２）を挿通し、該イーズ・フレーム（２）両突端を前記のビーク（１−Ｘ）内に挿入し、前記した磁石Ａ（１−Ａ）と磁石Ｂ（２−Ａ）が引き合い前記の背当てフレーム（１）とイーズ・フレーム（２）が一体を構成して、肩掛け（７）と膝掛け（８）を添えた散髪、整髪用保護カバー。
【請求項２】
背当てフレーム（１）の両側フレームに締め付け具（３）を備えた請求項１記載の散髪、整髪用保護カバーの背当てフレーム。
【請求項３】
背当てフレーム（１）の両側フレームを支保材（４）で結合した請求項１記載の散髪、整髪用保護カバーの背当てフレーム。
【請求項４】
イーズ・ケープ（６）中心に貫き輪（６−Ａ）を貫設し、該貫き輪（６−Ａ）に対向する直線の対辺まで切断（６−Ｃ）を備え、前記した袋縫い（６−Ｂ）両口に切欠（６−Ｄ）を備えた請求項１記載の散髪、整髪用保護カバーのイーズ・ケープ。
【請求項５】
前記のイーズ・ケープ（６）に備えた切断（６−Ｃ）の両側にマジックテープ（Ｃ）備えた、請求項１記載の散髪、整髪用保護カバーのイーズ・ケープ。
【請求項６】
肩掛け（７）を四角形に形成、該四角形の一辺に湾入（Ａ）を形成し、該湾入（Ａ）の両端より舌片（Ｂ）を突設、該突設した舌片（Ｂ）にマジックテープ（Ｃ）を備えた、請求項１記載の散髪、整髪用保護カバーの肩掛け。
【請求項７】
膝掛け（８）を四角形に形成、該四角形の一辺に湾入（Ａ）を形成し、該湾入（Ａ）の両端より舌片（Ｂ）を突設、該突設した舌片（Ｂ）にマジックテープ（Ｃ）を備えた、請求項１記載の散髪、整髪用保護カバーの膝掛け。
【請求項８】
前記した背当てフレーム（１）のＵ字フレーム両側に穿通口を開け、該穿通口に前記した締め付け具（３）を止め具（５）を介して具備した請求項２・３記載の背当てフレーム。
【発明の詳細な説明】
【０００１】
【発明の属する技術分野】
本発明は、理容店、美容院で頭髪の散髪、整髪時に切断された髪の毛、又はパーマネント創作時に飛散する薬品から着衣を保護するカバーに関する。
【０００２】
【従来の技術】
従来の保護カバーは着座した散髪客の全身をマントのように覆って、散乱する頭髪と飛散する薬品から着衣を守っている。
【０００３】
又、本発明に先行する清涼カバーでは、リングに張られた円環カバーが散髪客の肩の周囲を大きく巡っている。（例えば、特願整理番号ＤＸ−２）
【０００４】
【発明が解決しようとする課題】
従来の保護カバーは散髪、整髪時に体温の自由な放散を阻害していたので店内の冷気を遮断してしまうマント型では、暑がりの散髪客は汗をかいたり、蒸れたりなどの不快を催すという問題があった。
【０００５】
又、前記の本発明に先行する清涼カバーでは、散髪客の肩の周囲を大きく巡る円環カバーが、散髪客の後頭部、側頭部を理容・美容職人が整髪作業を行うときに該円環カバーが職人の手に当たり整髪作業に支障を来していた。
【０００６】
本発明は、頭髪の散乱や薬品の飛散をイーズ・ケープが受け止め、イーズ・ケープの受け止められなかった頭髪や薬品を肩掛けと膝掛けで受け止め、散髪客の胸部を大きく開放して、店内の冷気を散髪客が享受して、清涼感を散髪客が保持したまま散髪、整髪を終わらせることのできる保護カバーを提供することを目的としている。
【０００７】
【課題を解決するための手段】
上記目的を達成するために、椅子と散髪客の背中の間にＵ字状に形成した背当てフレームを締め付け具を介して備え、該背当てフレーム両端を散髪客の首を挟んで、散髪客の前面に該両端を屈曲させ、該屈曲（ビーク）内に磁石を備え、そしてＵ字状に形成したイーズ・フレーム先端に磁石を備え該イーズ・フレーム先端を前記のビーク内径に挿入して互いの磁力で引き合わせて一体を成す。（注釈、イーズとは軒又は、庇の訳。ビークとは嘴の訳。）
【０００８】
磁石はイーズ・フレームの両端に突設し、又、背当てフレームのビーク内径に磁石を備え、背当てフレームを太くしてビーク内径に挿入するイーズ・フレームを細くすることが器具全体のバランスと剛性を増すのに良策である。
【０００９】
イーズ・ケープの中央に開けた貫き輪の両側に切欠を入れる、この切欠を入れることで散髪客にイーズ・ケープを巻き付けるときに切欠が開き、イーズ・ケープの引きつれを小さくしてイーズ・ケープを首に巻き付けやすくする。
【００１０】
背当てフレーム両側のビークは、散髪客に圧迫感を与えないように散髪客の目線より少し斜め下にイーズ・フレームがなるように、ビークの屈曲角度を設定することが肝要である。
【００１１】
イーズ・ケープをイーズ・フレームに装着したときに、イーズ・ケープが垂れ下がるようにイーズ・ケープの円周を、イーズ・フレームの円周より大きくした方が垂れ下がり部位に切断された頭髪が留まりやすくなる。
【００１２】
肩掛けと膝掛けの一辺に湾入部を備え、その湾入部の端より舌片を突設する、この湾入を備えることで、首と腰にそれぞれ巻き付けたときに引きつれが緩和され無理なく巻き付けることができる。
【００１３】
【発明の実施の形態】
発明の実施の形態を実施例にもとずき、図面を参照して説明する。
図１は、椅子の背もたれに背当てフレーム１を設置してフレーム両側に備えた締め付け具３を椅子の背後に回して係止し、背当てフレーム１を安定させ、イーズ・ケープ６肩掛け７膝掛け８を添付している。
【００１４】
図２〜図７の図２・６・７では背当てフレーム１のビーク１−Ｘ内にイーズ・フレーム２両先端が挿入され、図３は、イーズ・フレーム２両先端に磁石Ｂ（２−Ａ）が突設し、締め付け具３が止め具５により背当てフレーム１に備えられ、図４・５では、ビーク１−Ｘ内径に磁石Ａ（１−Ａ）が備えられ、背当てフレーム１を支保材４が補強している。
【００１５】
図８では、半円形と四角形の辺で組み合い形成した、イーズ・ケープ６中央に貫き輪６−Ａを開け、該貫き輪６−Ａから半円形の対辺までを切断６−Ｃし、該半円形の辺に袋縫い６−Ｂを備え、該袋縫い６−Ｂ両口端に切欠６−Ｄをして、切断６−Ｃ両側にマジックテープＣを備えている。
【００１６】
図９においては、四角形に形成した肩掛け７の一辺に湾入Ａを備え、該湾入部両端より舌片Ｂを突設し、該舌片ＢにマジックテープＣを備えている。
【００１７】
図１０は、四角形に形成した膝掛け８の一辺に湾入Ａを備え、該湾入部両端より舌片Ｂを突設し、該舌片ＢにマジックテープＣを備えている。
【００１８】
図１１は、ビーク１−Ｘ内径に備えられた磁石Ａ（１−Ａ）に、イーズ・フレーム２先端に備えられた磁石Ｂ（２−Ａ）が引き合ってくっついている。
【００１９】
図１２では、背当てフレーム１を横貫して締め付け具３が止め具５を介して備えられている。
【００２０】
【発明の効果】
本発明は、以上説明したように構成されているので、以下に記載されるような効果を奏する。
【００２１】
イーズ・フレームを小振りにして半円形に形成し、該半円形の部分を散髪客の前面に張り出し、散髪客の背面は肩掛けが補完して散髪客の肩の周囲を円環カバーから解放することができたので、理容、美容職人の散髪、整髪作業を行い易くしている。
【００２２】
そして、肩掛けと膝掛けを添付することでイーズ・フレームを小振りにすることが可能になり、散髪客の圧迫感を減少し、理容、美容職人の整髪作業が容易になった。
【００２３】
又、背当てフレームとイーズ・フレームの着脱が磁力による方法で行うことができるので、ワンタッチでの取り付け、取り外しができる。
【００２４】
そして一番の効果は散髪客の胸部を大きく開放できるので、店内の冷気を充分に散髪客の体に直接当てることができ、散髪、整髪経過中に散髪客の体調を良好に保つことが可能である。
【図面の簡単な説明】
【図１】椅子に背当てフレームを取り付けイーズ・ケープと、肩掛けと膝掛けを添えた全体の斜視図。
【図２】背当てフレームのビークにイーズ・フレームを挿入した斜視図。
【図３】背当てフレームからイーズ・フレームを取り外した斜視図。
【図４】背当てフレームの側面図。
【図５】背当てフレームの正面図。
【図６】背当てフレームのビークにイーズ・フレームを挿入した側面図。
【図７】背当てフレームのビークにイーズ・フレームを挿入した正面図。
【図８】イーズ・ケープの平面図。
【図９】肩掛けの平面図。
【図１０】膝掛けの平面図。
【図１１】ビーク内で磁石Ａと磁石Ｂが引き合ってくっついている断面拡大図。
【図１２】止め具を介して締め付け具を、背当てフレームへ取り付けた断面拡大図。
【参考図Ａ】散髪、整髪用保護カバーを装着した後ろからの斜視図。
【参考図Ｂ】散髪、整髪用保護カバーを装着した前からの斜視図。
【符号の説明】
１．背当てフレーム。
２．イーズ・フレーム。
３．締め付け具。
４．支保材。
５．止め具。
６．イーズ・ケープ。
７．肩掛け。
８．膝掛け。
１−Ａ．磁石Ａ
１−Ｘ．ビーク。
２−Ａ．磁石Ｂ。
６−Ａ．貫き輪。
６−Ｂ．袋縫い。
６−Ｃ．切断。
６−Ｄ．切欠。
Ａ．湾入。
Ｂ．舌片。
Ｃ．マジックテープ。
【図１】
2004016771.tif 000003
【図２】
2004016771.tif 000004
【図３】
2004016771.tif 000005
【図４】
2004016771.tif 000006
【図５】
2004016771.tif 000007
【図６】
2004016771.tif 000008
【図７】
2004016771.tif 000009
【図８】
2004016771.tif 000010
【図９】
2004016771.tif 000011
【図１０】
2004016771.tif 000012
【図１１】
2004016771.tif 000013
【図１２】
2004016771.tif 000014
2004016771.tif 000015
2004016771.tif 000016